(57)【特許請求の範囲】
【請求項１】
薄板材で構成され、その上辺に沿った第１の部分を、室内空間を仕切る仕切壁に引っかけて当該仕切壁に沿って配置される矩形の背板と、
薄板材で構成され、当該背板と交わるように配置され、当該背板と接する後辺に沿った第２の部分を当該背板に引っかけて固定する矩形の棚板と、
前記背板の第１の部分の両端と、前記棚板の後辺と対向する前辺に沿った第３の部分の両端とをそれぞれ連結して前記棚板を支持するそれぞれのロッドとを備え、
前記それぞれのロッドの両端部は、前記背板の第１の部分と、前記棚板の第３の部分とに沿うように曲げられていて、当該曲げられた部分は、当該曲げられた部分が挿入可能な中空部が形成され、前記第１の部分と前記第３の部分とに沿ってそれぞれ設けられている筒状部に挿入されており、
前記背板の第１の部分と交わる辺に沿った部分は折り曲げられて、前記背板の筒状部とによって前記それぞれのロッドを挟み込んで保持するように第１の端面部分及び第２の端面部分が形成され、
前記棚板の第２の部分及び第３の部分と交わる辺に沿った部分も折り曲げられて、前記棚板の筒状部とによって前記それぞれのロッドを挟み込んで保持するように第３の端面部分及び第４の端面部分が形成されている
ことを特徴とする棚。
【請求項２】
前記棚板の第２の部分は前記背板に着脱自在に引っかけられていて、前記ロッドは前記筒状部に対して、当該筒状部の軸を中心として回転可能に挿入されており、
前記背板から前記棚板の第２の部分を外した場合に、
前記ロッドは、前記背板の第１の端面部分及び第２の端面部分に沿って収容され、
前記棚板は、前記背板に沿って前記ロッドを挟み込むように折りたたみ可能である
ことを特徴とする請求項１に記載の棚。
【発明の詳細な説明】
【０００１】
【発明の属する技術分野】
本発明は、室内空間を仕切るローパーティションといった仕切壁に引っかけて固定する棚に関するものである。
【０００２】
【従来の技術】
従来の、室内空間を仕切るローパーティションといった仕切壁に引っかけて固定する棚としては、金属やプラスチックといった材料を用いて、仕切壁に沿って引っかける背板の部分と、筆記具や電話機といったオフィス用品を載置する棚板の部分とを一体的に形成している棚がある。
【０００３】
【発明が解決しようとする課題】
そのような従来の棚は、棚板にオフィス用品を載置した場合の耐荷重性を確保するために、背板と棚板とを一体的に形成しているものや、背板と棚板を別部品で形成するものの溶接や接着などによって強固に固定するものであった。
【０００４】
背板と棚板を一体的に形成したり強固に固定する棚は、耐荷重性といった側面では十分に要求品質を満たしているが、折りたたんだり分解したりすることができないために運搬性といった側面の要求品質は十分に満たしているとはいえなかった。
【０００５】
そこで本発明は、棚板に物品を載置した場合の耐荷重性を確保しつつ運搬性を向上させた、仕切壁に引っかけて固定する棚を提供することを課題とする。
【０００６】
【課題を解決するための手段】
本発明の棚は、薄板材で構成され、その上辺に沿った第１の部分を、室内空間を仕切る仕切壁に引っかけて当該仕切壁に沿って配置される矩形の背板と、薄板材で構成され、当該背板と交わるように配置され、当該背板と接する後辺に沿った第２の部分を当該背板に引っかけて固定する矩形の棚板と、背板の第１の部分の両端と、棚板の後辺と対向する前辺に沿った第３の部分の両端とをそれぞれ連結して棚板を支持するそれぞれのロッドとを備え、それぞれのロッドの両端部は、背板の第１の部分と、棚板の第３の部分とに沿うように曲げられていて、当該曲げられた部分は、当該曲げられた部分が挿入可能な中空部が形成され、第１の部分と第３の部分とに沿ってそれぞれ設けられている筒状部に挿入されており、背板の第１の部分と交わる辺に沿った部分は折り曲げられて、背板の筒状部とによってそれぞれのロッドを挟み込んで保持するように第１の端面部分及び第２の端面部分が形成され、棚板の第２の部分及び第３の部分と交わる辺に沿った部分も折り曲げられて、棚板の筒状部とによってそれぞれのロッドを挟み込んで保持するように第３の端面部分及び第４の端面部分が形成されていることを特徴とする。
【０００７】
本発明によれば、棚板の後辺に沿った第２の部分を背板に引っかけて、棚板の前辺に沿った第３の部分をロッドで背板に連結して棚板を支持しているので、棚板に物品を載置した場合に、背板に引っかけた部分とロッドで連結した部分とで棚板を支えることができ、耐荷重性を確保できる。また、ロッドは、背板の筒状部と、第１の端面部分及び第２の端面部分とによって挟み込まれており、更に棚板の筒状部と、第３の端面部分及び第４の端面部分とによって挟み込まれているので、棚を仕切壁に引っかけて使用している場合にロッドが抜けないように保持することができ、使用中にロッドが抜け落ちて棚部が落ちてしまうという可能性を低減できる。背板と棚板とロッドとによって構成されているので、例えば、運搬時などは背板と棚板とロッドとに分解して運搬するようにすることもでき、組み立てたままの状態で運搬するのに比較して輸送効率を上げることができる。
【０００８】
また本発明の棚は、棚板の第２の部分は背板に着脱自在に引っかけられていて、ロッドは筒状部に対して、筒状部の軸を中心として回転可能に挿入されており、背板から棚板の第２の部分を外した場合に、ロッドは、背板の第１の端面部分及び第２の端面部分に沿って収容され、棚板は、背板に沿ってロッドを挟み込むように折りたたみ可能であるようにしてもよい。背板と棚板とがロッドを挟み込んで互いに沿うように折りたたむことができるので、組み立てたままの状態で運搬するのに比較して輸送効率を上げることができる。
【０００９】
【発明の実施の形態】
本発明の実施の形態を図面を参照しながら説明する。可能な場合には、同一の部分には同一の符号を付して重複する説明を省略する。
【００１０】
本発明の実施形態である棚１０について図１を用いて説明する。図１は、棚１０を室内空間を仕切る仕切壁２０に引っかけた状態を示した図である。棚１０は、その上辺に沿った第１の部分１０１ａを仕切壁２０に引っかけて仕切壁２０に沿って配置される矩形の背板１０１と、その背板１０１と交わるように配置され、背板１０１と接する後辺に沿った第２の部分１０２ｄを背板１０１に引っかけて固定する棚板１０２とを備え、更に、背板１０１の第１の部分１０１ａの両端と、棚板１０２の前辺に沿った第３の部分１０２ａの両端とをそれぞれ連結して棚板１０２を支持するロッド１０３及びロッド１０４を備える。
【００１１】
ロッド１０３及びロッド１０４の両端部は、背板１０１の第１の部分１０１ａと、棚板１０２の第３の部分１０２ａとに沿うように曲げられていて、その曲げられた部分が、第１の部分１０１ａに沿って設けられている筒状部１０１ｂと、筒状に形成されている第３の部分１０２ａとにそれぞれ挿入されている。
【００１２】
更に、背板１０１及び棚板１０２は金属板といった折り曲げ加工やプレス加工が可能な薄板材で形成されていて、背板１０１の第１の部分１０１ａと交わる辺に沿った第１の端面部分１０１ｃ及び第２の端面部分１０１ｄと、棚板１０２の第２の部分１０２ｄと第３の部分１０２ａと交わる辺に沿った第３の端面部分１０２ｂ及び第４の端面部分１０２ｃとは原材料の薄板材を折り曲げて形成されている。このように形成されることによって、背板１０１の筒状部１０１ｂと、第１の端面部分１０１ｃ及び第２の端面部分１０１ｄとによって、並びに、棚板１０２の第３の部分１０２ａと、第３の端面部分１０２ｂ及び第４の端面部分１０２ｃとによって、それぞれロッド１０３及びロッド１０４が挟み込まれ、ロッド１０３及びロッド１０４が筒状部１０１ｂ及び第３の部分１０２ａから抜けないように保持している。
【００１３】
背板１０１に棚板１０２が引っかけられている状態について、図２を用いて説明する。図２は、図１のＩ−Ｉ断面を示した図である。背板１０１の下方にはフック１０１ｅが設けられていて、背板１０１とフック１０１ｅとの間には棚板１０２の厚みよりも若干広い隙間が空いており、棚板１０２の後辺に沿った第２の部分１０２ｄが引っかけられている。背板１０１のフック１０１ｅは、背板１０１の下方に３箇所設けられており、背板１０１をプレス加工したり、別部品として形成したものを溶接したりといった手法で取り付けられている。棚板１０２の第２の部分１０２ｄは、棚板１０２の後辺に沿った部分を折り曲げるなどして形成されている。
【００１４】
引き続いて、ロッド１０３が背板１０１に取り付けられている状態について、図３を用いて説明する。図３（ａ）は、図１の矢印Ａ方向から見た状態を示した図であり、図３（ｂ）は、図３（ａ）を正面から見た状態を示した図である。背板１０１の第１の部分１０１ａは、背板１０１の本体とは別部品として構成されており、背板１０１の上端を折り曲げた部分１０１ｆに溶接するなどして取り付けられている。第１の部分１０１ａの一端は背板１０１との間にロッド１０３が挿入可能な中空部が形成されるように折り曲げられて筒状部１０１ｂを形成している。ロッド１０３は、断面が円形の棒状部材で形成されて筒状部１０１ｂに挿入されており、矢印Ｃ及び矢印Ｄの方向にそれぞれ回転可能となっている。ロッド１０３は、筒状部１０１ｂと第１の端面部分１０１ｃとに挟み込まれることによって、筒状部１０１ｂから抜け落ちないように保持されている。ロッド１０３は、矢印Ｃの方向に回転して二点鎖線部１０３ａの位置までもっていくと、筒状部１０１ｂと第１の端面部分１０１ｃとによって挟み込まれなくなるので、筒状部１０１ｂから抜き取ることができる。つまり、第１の端面部分１０１ｃは筒状部１０１ｂのロッド１０３が挿入されている中空部分にはオーバーラップしないように配置されているので、ロッド１０３を第１の端面部分１０１ｃによって挟み込まれない位置まで回転させることによって筒状部１０１ｂから抜き取ることが可能となる。また、ロッド１０３を矢印Ｄの方向に回転して、二点鎖線部１０３ｂの位置まで持っていくことによって棚１０を折りたたむことができる。棚１０を折りたたむ方法の詳細については後述する。なお、ロッド１０３側を例にとって説明したが、ロッド１０４側も同様である。
【００１５】
引き続いて、ロッド１０３が棚板１０２に取り付けられている状態について、図４を用いて説明する。図４（ａ）は、図１の矢印Ｂ方向から見た状態を示した図であり、図４（ｂ）は、図４（ａ）を正面から見た状態を示した図である。棚板１０２の第３の部分１０２ａは、棚板１０２の前辺に沿った部分をロッド１０３が挿入可能な中空部が形成されるように折り曲げることによって形成されている。ロッド１０３は、既に述べたように断面が円形の棒状部材で形成されて第３の部分１０２ａに挿入されており、矢印Ｅの方向に回転可能となっている。ロッド１０３は、棚板１０２の第３の部分１０２ａと第３の端面部分１０２ｂとに挟み込まれることによって、第３の部分１０２ａから抜け落ちないように保持されている。ロッド１０３は、矢印Ｅの方向に回転して二点鎖線部１０３ｃの位置まで持っていくと、第３の部分１０２ａと第３の端面部分１０２ｂとによって挟み込まれなくなるので、第３の部分１０２ａから抜き取ることができる。つまり、第３の端面部分１０２ｂは第３の部分１０２ａのロッド１０３が挿入されている中空部分にはオーバーラップしないように配置されているので、ロッド１０３を第３の端面部分１０２ｂによって挟み込まれない位置まで回転させることによって第３の部分１０２ａから抜き取ることが可能となる。また、ロッド１０３を矢印Ｅの方向に回転して、二点鎖線部１０３ｄの位置まで持っていくことによって棚１０を折りたたむことができる。棚１０を折りたたむ方法の詳細については後述する。なお、ロッド１０３側を例にとって説明したが、ロッド１０４側も同様である。
【００１６】
次に、棚１０を折りたたむ方法について図１及び図５〜図７を用いて説明する。図５〜図７は、棚１０を折りたたむ様子を示した図である。図１の状態で仕切壁２０に引っかけられている棚１０を仕切壁２０から取り外し、図５に示すように棚板１０２を矢印Ｆの方向に持ち上げて、背板１０１から棚板１０２の第２の部分１０２ｄを外す。次に、ロッド１０３及びロッド１０４を矢印Ｇの方向に持ち上げると共に、棚板１０２を矢印Ｆとは反対側に回転させ、棚板１０２の後辺側が背板１０１よりも下方にいってから、ロッド１０３及びロッド１０４を矢印Ｇとは反対側に回転させる。
【００１７】
ロッド１０３及びロッド１０４を図５の矢印Ｇとは反対側に回転させて、背板１０１に接するようにすると、図６のような状態になる。図６の状態では、ロッド１０３及びロッド１０４は、背板１０１の第１の端面部１０１ｃ及び第２の端面部１０１ｄに沿うように配置される。このようにロッド１０３及びロッド１０４が配置されていると、筒状部１０１ｂと、第１の端面部１０１ｃ及び第２の端面部１０１ｄとによって挟み込まれるので、筒状部１０１ｂからロッド１０３及びロッド１０４が抜け落ちることがない。
【００１８】
図６の状態から図６の矢印Ｈの方向に棚板１０２を回転させて、棚板１０２の第２の部分１０２ｄが背板１０１に接するようにすると、図７の状態になって棚１０の折りたたみが完了する。図７の状態では、ロッド１０３及びロッド１０４は、背板１０１及び棚板１０２に挟み込まれた状態となっている。また、ロッド１０３及びロッド１０４は、棚板１０２の第３の部分１０２ａと、背板１０１の第１の端面部分１０１ｃ及び第２の端面部分１０１ｄとに挟み込まれているので、棚板１０２の第３の部分１０２ａから抜け落ちることがない。また、図７の状態では、ロッド１０３及びロッド１０４は、図３で説明した二点鎖線部１０３ｂ、図４で説明した二点鎖線部１０３ｄの位置に配置されている。
【００１９】
棚１０を折りたたむ方法について説明したが、棚１０を運搬する際には棚１０を、背板１０１と、棚板１０２と、ロッド１０３及びロッド１０４とに分解してもよい。引き続いて、棚１０を分解する方法について説明する。まず、図５の矢印Ｆの方向に棚板１０２を持ち上げて、背板１０１から棚板１０２を外し、ロッド１０３及びロッド１０４を矢印Ｇの方向に持ち上げる。棚板１０２を矢印Ｆとは反対側に回転させると、図４の二点鎖線部１０３ｃの位置にロッド１０３及びロッド１０４がいくので、棚板１０２の第３の部分１０２ａからロッド１０３及びロッド１０４を抜き取ることができる。次に、ロッド１０３及びロッド１０４を図５の矢印Ｇの方向に回転させると、図３の二点鎖線部１０３ａの位置にロッド１０３及びロッド１０４がいくので、背板１０１の筒状部１０１ｂからロッド１０３及びロッド１０４を抜き取ることができる。このようにして棚１０を、背板１０１と、棚板１０２と、ロッド１０３及びロッド１０４とに分解することができる。
【００２０】
本実施形態の作用及び効果について説明する。棚板１０２の後辺に沿った第２の部分１０２ｄを背板１０１に引っかけて、棚板１０２の前辺に沿った第３の部分１０２ａをロッド１０３及びロッド１０４で背板１０１に連結して棚板１０２を支持しているので、棚板１０２に物品を載置した場合に、背板１０２に引っかけた第２の部分１０２ｄとロッド１０３及びロッド１０４で連結した第３の部分１０２ａとで棚板１０２を支えることができ、耐荷重性を確保できる。また、ロッド１０３及びロッド１０４は、背板１０１の筒状部１０１ｂと、第１の端面部分１０１ｃ及び第２の端面部分１０１ｄとによって挟み込まれており、更に棚板１０２の第３の部分１０２ａと、第３の端面部分１０２ｂ及び第４の端面部分１０２ｃとによって挟み込まれているので、棚１０を仕切壁２０に引っかけて使用している場合にロッド１０３及びロッド１０４が抜けないように保持することができ、使用中にロッド１０３及び１０４が抜け落ちて棚板１０２が落ちてしまうという可能性を低減できる。背板１０１と棚板１０２とロッド１０３及びロッド１０４とによって構成されているので、例えば、運搬時などは背板１０１と棚板１０２とロッド１０３及びロッド１０４とに分解して運搬するようにすることもでき、組み立てたままの状態で運搬するのに比較して輸送効率を上げることができる。
【００２１】
また、本実施形態の棚１０は、背板１０１と棚板１０２とがロッド１０３及びロッド１０４を挟み込んで互いに沿うように折りたたむことができるので、組み立てたままの状態で運搬するのに比較して輸送効率を上げることができる。
【００２２】
【発明の効果】
本発明によれば、棚板の後辺に沿った第２の部分を背板に引っかけて、棚板の前辺に沿った第３の部分をロッドで背板に連結して棚板を支持しているので、棚板に物品を載置した場合に、背板に引っかけた部分とロッドで連結した部分とで棚板を支えることができ、耐荷重性を確保できる。また、ロッドは、背板の筒状部と、第１の端面部分及び第２の端面部分とによって挟み込まれており、更に棚板の筒状部と、第３の端面部分及び第４の端面部分とによって挟み込まれているので、棚を仕切壁に引っかけて使用している場合にロッドが抜けないように保持することができ、使用中にロッドが抜け落ちて棚部が落ちてしまうという可能性を低減できる。背板と棚板とロッドとによって構成されているので、例えば、運搬時などは背板と棚板とロッドとに分解して運搬するようにすることもでき、組み立てたままの状態で運搬するのに比較して輸送効率を上げることができる。従って本発明の目的とする、棚板に物品を載置した場合の耐荷重性を確保しつつ運搬性を向上させた、仕切壁に引っかけて固定する棚を提供することができた。
【図面の簡単な説明】
【図１】本発明の実施形態である棚を示した図である。
【図２】図１のＩ−Ｉ断面を示した図である。
【図３】図１の矢印Ａの方向から見た状態を示した図である。
【図４】図１の矢印Ｂの方向から見た状態を示した図である。
【図５】本発明の実施形態である棚を折りたたむ様子を示した図である。
【図６】本発明の実施形態である棚を折りたたむ様子を示した図である。
【図７】本発明の実施形態である棚を折りたたむ様子を示した図である。
【符号の説明】
１０…棚、１０１…背板、１０２…棚板、１０３、１０４…ロッド、１０１ａ…第１の部分、１０１ｂ…筒状部、１０１ｃ…第１の端面部分、１０１ｄ…第２の端面部分、１０２ａ…第３の部分、１０２ｂ…第３の端面部分、１０２ｃ…第４の端面部分、１０２ｄ…第２の部分、２０…仕切壁。
【図１】
0004100888.tif 000002
【図２】
0004100888.tif 000003
【図３】
0004100888.tif 000004
【図４】
0004100888.tif 000005
【図５】
0004100888.tif 000006
【図６】
0004100888.tif 000007
【図７】
0004100888.tif 000008